(57)【要約】【課題】  形状を変化させたり、複数の表示装置を組み合わせることにより、様々な表示態様を実現したり、デザイン的にも好ましい携帯可能な表示装置を提供する。【解決手段】  湾曲可能で、短冊形状の表示装置本体１１と、表示装置本体１１とともに湾曲可能で表面側に配置された第１表示パネル１２および裏面側に配置された第２表示パネル１３と、表示装置本体１１の長手方向の一端に設けられた第１コネクタ１４と、装置本体１１の長手方向の他端に設けられ、第１コネクタ１４が接続可能な第２コネクタ１５と、装置本体１１に収納され、第１表示パネル１２および第２表示パネル１３における表示の制御を行うコントローラ２１と、を有し、コントローラ２１は、第１コネクタ１４および第２コネクタ１５の接続状態に基づいて第１表示パネル１２および第２表示パネル１３における表示を制御する。【選択図】      図２
2007047626.tif 000002
【特許請求の範囲】
【請求項１】
湾曲可能で、短冊形状の装置本体と、
前記装置本体とともに湾曲可能で前記装置本体の表面側に配置された第１表示部と、
前記装置本体とともに湾曲可能で前記装置本体の裏面側に配置された第２表示部と、
前記装置本体の長手方向の一端に設けられた第１コネクタと、
前記装置本体の長手方向の他端に設けられ、前記第１コネクタが接続可能な第２コネクタと、
前記装置本体に収納され、前記第１表示部および前記第２表示部における表示の制御を行う制御部と、を有し、
前記制御部は、前記第１コネクタおよび前記第２コネクタの接続状態に基づいて前記第１表示部および前記第２表示部における表示を制御することを特徴とする表示装置。
【請求項２】
請求項１記載の表示装置において、
前記第１コネクタおよび前記第２コネクタには、接続方向を検出するための接続方向検出用端子が設けられており、
前記制御部は、前記接続方向検出用端子の信号状態に基づいて前記コネクタの接続状態を検出し、検出結果に基づいて前記表示の制御を行う、
ことを特徴とする表示装置。
【請求項３】
請求項２記載の表示装置において、
前記制御部は、前記接続方向検出用端子の信号状態に基づいて、当該表示装置がリング状となるように前記コネクタが接続されているか、あるいは、当該表示装置がメビウスリング状となるように前記コネクタが接続されているかを判別するリング形状判別部を備え、  前記制御部は、前記リング形状判別部の判別結果に基づいて、前記表示の制御を行うことを特徴とする表示装置。
【請求項４】
請求項１ないし請求項３のいずれかに記載の表示装置において、
前記装置本体の湾曲方向を検出する湾曲方向検出部を備え、
前記制御部は、前記装置本体の湾曲方向に基づいて前記表示の制御を行う、
ことを特徴とする表示装置。
【請求項５】
請求項１ないし請求項４のいずれかに記載の表示装置において、
前記制御部は、いずれかの前記コネクタから入力された情報に基づいて前記第１表示部および前記第２表示部における表示を制御することを特徴とする表示装置。
【請求項６】
請求項１ないし請求項５のいずれかに２記載の表示装置において、
前記制御部は、前記第１コネクタあるいは前記第２コネクタのうち、少なくともいずれか一方に他の表示装置が接続された場合に当該他の表示装置と通信を行い、前記他の表示装置と協調して前記第１表示部および前記第２表示部における表示を制御することを特徴とする表示装置。
【請求項７】
請求項６記載の表示装置において、
前記第１コネクタあるいは前記第２コネクタには、他の表示装置を複数、シリアル接続することが可能であり、
前記制御部は、前記複数の他の表示装置と通信を行い、前記他の表示装置と協調して前記第１表示部および前記第２表示部における表示を制御することを特徴とする表示装置。
【請求項８】
湾曲可能で、短冊形状の装置本体と、前記装置本体とともに湾曲可能で前記装置本体の表面側に配置された第１表示部と、前記装置本体とともに湾曲可能で前記装置本体の裏面側に配置された第２表示部と、前記装置本体の長手方向の一端に設けられた第１コネクタと、前記装置本体の長手方向の他端に設けられ、前記第１コネクタが接続可能な第２コネクタと、を備えた表示装置の制御方法において、
前記第１コネクタおよび前記第２コネクタの接続状態を判別する接続状態判別過程と、
判別した前記接続状態に基づいて前記第１表示部および前記第２表示部における表示を制御する表示制御過程と、を備えたことを特徴とする表示装置の制御方法。
【請求項９】
湾曲可能で、短冊形状の装置本体と、前記装置本体とともに湾曲可能で前記装置本体の表面側に配置された第１表示部と、前記装置本体とともに湾曲可能で前記装置本体の裏面側に配置された第２表示部と、前記装置本体の長手方向の一端に設けられた第１コネクタと、前記装置本体の長手方向の他端に設けられ、前記第１コネクタが接続可能な第２コネクタと、を備えた表示装置をコンピュータにより制御するための制御プログラムにおいて、
前記第１コネクタおよび前記第２コネクタの接続状態を判別させ、
判別させた前記接続状態に基づいて前記第１表示部および前記第２表示部における表示を制御させる、
ことを特徴とする制御プログラム。
【発明の詳細な説明】
【技術分野】
【０００１】
本発明は、身体に装着可能な携帯型の表示装置、表示装置の制御方法および制御プログラムに係り、特にユーザが形状を選択的に変更したり、複数の表示装置を連携させて用いることが可能な表示装置、表示装置の制御方法および制御プログラム関する。
【背景技術】
【０００２】
従来より、身体に装着可能な各種の表示装置が知られている。
これらの表示装置において、消費電力および薄型化などの観点から、電気泳動現象を利用した電気泳動表示装置が提案されている（例えば、特許文献１参照）。
いわゆる電気泳動現象は、従来から知られており、液体中に分散した帯電粒子が電界印加により泳動する現象である。
この種の電気泳動表示装置にあっては、一対の電極間に、少なくとも１種の電気泳動粒子（帯電粒子）を含む電気泳動分散液が封入され、これらの一対の電極間に電圧を印加して電気泳動分散液に電界を作用させることにより、電気泳動分散液中の電気泳動粒子の分布状態を変化させることによって、表示が行われる。
【特許文献１】特開平１−８６１１６号公報
【発明の開示】
【発明が解決しようとする課題】
【０００３】
しかしながら、上記従来の表示装置においては、表示装置はあくまで表示対象の情報を表示するだけの機能が持たされているだけであり、外形デザインを自由に変化させたり、複数の表示装置で連携して表示を行うような構成とはされていなかった。
そこで、本発明の目的は、表示装置の形状を変化させたり、複数の表示装置を組み合わせることにより、様々な表示態様を実現したり、デザイン的にも好ましい携帯可能な表示装置を提供することにある。
【課題を解決するための手段】
【０００４】
上記課題を解決するため、本発明は、湾曲可能で、短冊形状の装置本体と、前記装置本体とともに湾曲可能で前記装置本体の表面側に配置された第１表示部と、前記装置本体とともに湾曲可能で前記装置本体の裏面側に配置された第２表示部と、前記装置本体の長手方向の一端に設けられた第１コネクタと、前記装置本体の長手方向の他端に設けられ、前記第１コネクタが接続可能な第２コネクタと、前記装置本体に収納され、前記第１表示部および前記第２表示部における表示の制御を行う制御部と、を有し、前記制御部は、前記第１コネクタおよび前記第２コネクタの接続状態に基づいて前記第１表示部および前記第２表示部における表示を制御することを特徴としている。
上記構成によれば、制御部は、第１コネクタおよび第２コネクタの接続状態に基づいて第１表示部および第２表示部における表示を制御することができる。
【０００５】
この場合において、前記第１コネクタおよび前記第２コネクタには、接続方向を検出するための接続方向検出用端子が設けられており、前記制御部は、前記接続方向検出用端子の信号状態に基づいて前記コネクタの接続状態を検出し、検出結果に基づいて前記表示の制御を行うようにしてもよい。
また、前記制御部は、前記接続方向検出用端子の信号状態に基づいて、当該表示装置がリング状となるように前記コネクタが接続されているか、あるいは、当該表示装置がメビウスリング状となるように前記コネクタが接続されているかを判別するリング形状判別部を備え、  前記制御部は、前記リング形状判別部の判別結果に基づいて、前記表示の制御を行うようにしてもよい。
【０００６】
さらに、前記装置本体の湾曲方向を検出する湾曲方向検出部を備え、前記制御部は、前記装置本体の湾曲方向に基づいて前記表示の制御を行うようにしてもよい。
さらにまた、前記制御部は、いずれかの前記コネクタから入力された情報に基づいて前記第１表示部および前記第２表示部における表示を制御することを特徴とする表示装置。
また、前記制御部は、前記第１コネクタあるいは前記第２コネクタのうち、少なくともいずれか一方に他の表示装置が接続された場合に当該他の表示装置と通信を行い、前記他の表示装置と協調して前記第１表示部および前記第２表示部における表示を制御するようにしてもよい。
さらに、前記第１コネクタあるいは前記第２コネクタには、他の表示装置を複数、シリアル接続することが可能であり、前記制御部は、前記複数の他の表示装置と通信を行い、前記他の表示装置と協調して前記第１表示部および前記第２表示部における表示を制御するようにしてもよい。
【０００７】
また、湾曲可能で、短冊形状の装置本体と、前記装置本体とともに湾曲可能で前記装置本体の表面側に配置された第１表示部と、前記装置本体とともに湾曲可能で前記装置本体の裏面側に配置された第２表示部と、前記装置本体の長手方向の一端に設けられた第１コネクタと、前記装置本体の長手方向の他端に設けられ、前記第１コネクタが接続可能な第２コネクタと、を備えた表示装置の制御方法において、前記第１コネクタおよび前記第２コネクタの接続状態を判別する接続状態判別過程と、判別した前記接続状態に基づいて前記第１表示部および前記第２表示部における表示を制御する表示制御過程と、を備えたことを特徴としている。
【０００８】
また、湾曲可能で、短冊形状の装置本体と、前記装置本体とともに湾曲可能で前記装置本体の表面側に配置された第１表示部と、前記装置本体とともに湾曲可能で前記装置本体の裏面側に配置された第２表示部と、前記装置本体の長手方向の一端に設けられた第１コネクタと、前記装置本体の長手方向の他端に設けられ、前記第１コネクタが接続可能な第２コネクタと、を備えた表示装置をコンピュータにより制御するための制御プログラムにおいて、前記第１コネクタおよび前記第２コネクタの接続状態を判別させ、判別させた前記接続状態に基づいて前記第１表示部および前記第２表示部における表示を制御させる、ことを特徴としている。
【発明の効果】
【０００９】
本発明によれば、表示装置の形状を変化させたり、複数の表示装置を組み合わせることにより、様々な表示態様を実現したり、デザイン的にも好ましい携帯可能な表示装置を提供できる。
【発明を実施するための最良の形態】
【００１０】
次に図面を参照して本発明の好適な実施の形態について説明する。
図１は実施形態の表示装置の外観斜視図である。
表示装置１０は、大別すると、湾曲させることが可能であるとともに、後述するコントローラを内蔵する表示装置本体１１と、表示装置本体１１の表面側（図では上面側）に配置された湾曲可能な第１表示パネル１２と、表示装置本体１１の裏面側（図では下面側）に配置された湾曲可能な第２表示パネル１３と、表示装置本体１１の長手方向一端に設けられた第１コネクタ（オス型コネクタ）１４と、表示装置本体１１の長手方向他端に設けられ、第１コネクタ１４が接続可能な第２コネクタ（メス型コネクタ）１５と、を備えている。
【００１１】
図２は、表示装置の概要構成ブロック図である。
表示装置１０は、大別すると、上述した第１表示パネル１２、第２表示パネル１３、第１コネクタ１４および第２コネクタ１５の他、表示装置１０全体を制御するためのコントローラ２１と、歪みセンサ、圧電センサなどにより構成され、第１コネクタ１４と第２コネクタ１５とを接続してリング状にした場合に、第１表示パネル１２あるいは第２表示パネル１３のいずれが外周面側になっているかを判別するための表裏判定センサ２２と、コントローラ２１の制御下で第１表示パネル１２および第２表示パネル１３を駆動するディスプレイドライバ２３と、表示装置１０全体に電源を供給するバッテリ２４と、を備えている。
【００１２】
図３は、コントローラおよびコネクタの詳細構成説明図である。
コントローラ２１は、制御プログラムに基づいて、コントローラ２１全体、ひいては、表示装置１０全体を制御するＭＰＵ３１と、制御プログラムを格納したＲＯＭ３２と、各種データを一時的に格納するＲＡＭ３３と、各種インターフェース動作を行うインターフェース部３４と、ＭＰＵ３１、ＲＯＭ３２、ＲＡＭ３３およびインターフェース部３４を相互に接続するバス３５と、を備えている。
第１コネクタ１４は、第１コネクタ１４の当該表示装置１０あるいは他の表示装置１０の第２コネクタ１５に対する接続の向きを検出するための向き検出用信号ＤＲが出力される第１接続端子Ｔ11と、送信データＤTRが送出される第２接続端子Ｔ12と、電位レベルが共通電位（ＣＯＭ）レベルとされた第３接続端子Ｔ13および第４接続端子Ｔ14と、を備えている。
また、第２コネクタ１５は、第１コネクタ１４からの向き検出用信号ＤＲが入力される第１接続端子Ｔ21と、第１コネクタ１４からの送信データＤTRが入力される第２接続端子Ｔ22と、電位レベルが共通電位（ＣＯＭ）レベルとされた第３接続端子Ｔ23と、第１コネクタ１４からの送信データＤTRが入力される第４接続端子Ｔ24と、第１コネクタ１４からの向き検出用信号ＤＲが入力される第５接続端子Ｔ25と、を備えている。
【００１３】
この場合において、第２コネクタ１５が第１コネクタ１４に対して第１の向き（図３の状態に相当）で接続される場合に、第１接続端子Ｔ21には、第１コネクタ１４からの向き検出用信号ＤＲが入力され、第２接続端子Ｔ22には、第１コネクタ１４からの送信データＤTRが入力されることとなる。一方、第２コネクタ１５が第１コネクタ１４に対して第１の向き（図３の状態に相当）とは逆向き（図３で上下反転した状態）で接続される場合には、第５接続端子Ｔ25には、第１コネクタ１４からの向き検出用信号ＤＲが入力され、第４接続端子Ｔ24には、第１コネクタ１４からの送信データＤTRが入力されることとなる。
ここで、具体的な動作説明に先立ち、第１表示パネル１２および第２表示パネル１３の構成について図４および図５を参照して説明する。なお、第１表示パネル１２および第２表示パネル１３は同一の構成であるので、以下の説明においては、第１表示パネル１２について説明する。
【００１４】
図４は表示パネルの断面図である。また、図５は表示パネルの部分拡大断面図である。
図４および図５においては、透明電極にのみ斜線を入れ、その他の部材については図面が煩雑になるのを避けるため斜線を省略する。
表示パネル１２には、電気泳動ディスプレイパネルが用いられている。図３に示すように、表示パネル１２は、一対の透明共通電極５０および表示制御電極５１と、これら透明共通電極５０および表示制御電極５１の間に挟み込まれて配置された複数のマイクロカプセル５３とを有している。そして、各マイクロカプセル５３には電気泳動分散液６０（図４参照）が封入されている。表示制御電極５１は、表示パネル１２のセグメント（あるいはドット）４０ごとに設けられた電極であり、これらの表示制御電極５１がフレキシブル基板５４上に形成されている。また、透明共通電極５０は透明なガラス基板５５上に例えばＩＴＯ（Indium-Tin Oxide）を蒸着して形成された透明な電極であり、表示制御電極５１と対向して配置される。この透明共通電極５０は全ての表示制御電極５１にまたがる１枚の電極として構成され、フレキシブル基板５４上に設けられた共通電極５６に接続されて、この共通電極５６と同電位に維持される。
【００１５】
このような構成の表示パネル１２は、ガラス基板５５および透明共通電極５０を介してマイクロカプセル５３が呈する表示色が視認されることとなる。
さて、共通電極５６と各表示制御電極５１には、フレキシブル基板５４に配設（プリント）された図示せぬ電気配線を介して、制御回路基板８０側に設けられたドライバＩＣ１５から駆動電圧が供給され、マイクロカプセル５３に封入された電気泳動分散液６０に電界が付与される。マイクロカプセル５３内の電気泳動分散液中には、図４に示すように、電気泳動粒子として青色に着色された青粒子６１が分散されている（いわゆる１粒子系）。この青粒子６１はプラス極性に帯電し、また、電気泳動分散液６０が白色に着色されている。
【００１６】
したがって、共通電極５６が０Ｖ電位（アース電位）に保持されて透明共通電極５０が０Ｖ電位とされるとともに、表示制御電極５１にプラス電圧の駆動電圧が供給されてプラス電位とされた場合、表示制御電極５１から透明共通電極５０に向かう電界が発生し、図４に示すように、マイクロカプセル５３内のプラスに帯電した青粒子６１が透明共通電極５０側に移動し、これに伴って、白色の電気泳動分散液６０が表示制御電極５１側に移動する。この結果、マイクロカプセル５３が青色を呈するため、セグメント４０が青を表示する。これとは逆に、共通電極５６にプラス電圧の駆動電圧が供給されて透明共通電極５０がプラス電位とされるとともに、表示制御電極５１が０Ｖ電位に保持された場合には、プラスに帯電した青粒子６１が表示制御電極５１側に移動し、これに伴って、白色の電気泳動分散液６０が透明共通電極５０側に移動するため、結果として、マイクロカプセル５３が白色を呈し、セグメント４０が白を表示する。また、透明共通電極５０と表示制御電極５１との間に電位差を生じない場合には、青粒子６１の移動が生じないため、セグメント４０の表示色は変化せずに以前の状態が維持される。
以上のようにして、表示パネル１２は、情報記憶状態（メモリ状態）で各種情報が表示されることとなる。
【００１７】
次に実施形態の使用態様について説明する。
図６は、実施形態の処理フローチャートである。
まずコントローラ２１は、第１コネクタ１４を介してデータを送信するとともに、第２コネクタ１５を介してデータを受信する動作を行う（ステップＳ１１）。
具体的には、コントローラ２１は、インターフェース部３４を介して、第１コネクタ１４の第２端子Ｔ12から自己を特定するためのＩＤデータを送信データＤTRとして送信するとともに、第２コネクタ１５の第２端子Ｔ22または第４端子Ｔ24からＩＤデータを受信データＤRCとして受信する。
次にコントローラ２１は、第２コネクタ１５から受信した受信データＤRCに基づいて他機が第２コネクタ１５に接続されているか否かを判別する（ステップＳ１２）。
具体的には、第２コネクタ１５の第２端子Ｔ22または第４端子Ｔ24から受信した受信データＤRCである受信ＩＤデータが自己のＩＤデータであるか否かを判別し、自己のＩＤデータではない場合には、他機が第２コネクタ１５に接続されているものと判断している。
【００１８】
ステップＳ１２の判別において他機が接続されていない場合には（ステップＳ１２；Ｎｏ）、自己の第１コネクタ１４と第２コネクタ１５が接続されているか否かを判別する（ステップＳ１３）。
ステップＳ１３の判別において、自己の第１コネクタ１４と第２コネクタ１５が接続されていない場合には（ステップＳ１３；Ｎｏ）、図１に示したような状態であるので、第１表示パネル１２および第２表示パネル１３においてそれぞれ独立した表示を行う独立表示制御を行うこととなる（ステップＳ１４）。
ステップＳ１３の判別において、自己の第１コネクタ１４と第２コネクタ１５が接続されている場合には（ステップＳ１３；Ｙｅｓ）、コントローラ２１は、メビウスリング状にひねられて接続されているか否かを判別する（ステップＳ１５）。
具体的には、第１コネクタ１４の向き検出用信号ＤＲが出力される第１接続端子Ｔ11は、第２コネクタ１５の第１接続端子Ｔ21あるいは第５接続端子Ｔ25のいずれか一方にのみ接続されるので、第２コネクタ１５の第１接続端子Ｔ21あるいは第５接続端子Ｔ25のいずれの端子のレベルが所定の電位レベル（“Ｈ”レベルあるいは“Ｌ”レベル）にあるかに基づいて判別することとなる。
【００１９】
ステップＳ１５の判別において、メビウスリング状にひねられて接続されている場合には（ステップＳ１５；Ｙｅｓ）、すなわち、第５接続端子Ｔ25が所定の電位レベルになっている場合には、図７に示すような状態であるので、第１表示パネル１２および第２表示パネル１３において連携した表示を行う表裏連携表示制御を行う（ステップＳ１６）。なお、図７においては理解の容易のため、第１表示パネル１２側に相当する部分には、アルファベットを表記し、第２表示パネル１３側に相当する部分には、数字を表記している。
より詳細には、第１表示パネル１２と第２表示パネル１３とを一体に用いて連続する内容を表示したり、電光掲示板のように、第１表示パネル１２に表示していた内容が第２表示パネル１３に流れ込んで表示されるようにしたり、二つの表示パネル１２、１３が連携した表示を行うようになっている。
【００２０】
ステップＳ１５の判別において、メビウスリング状にひねられて接続されていない場合には（ステップＳ１５；Ｎｏ）、すなわち、第１接続端子Ｔ21が所定の電位レベルになっている場合には、図１１に示すように単純にリング状に第１コネクタ１４および第２コネクタ１５が接続されていると考えられるので、コントローラ２１は、第１表示パネル１２（表面）あるいは第２表示パネル１３（裏面）のいずれが外周面を形成しているか否か、を表裏判定センサ２２の出力に基づいて判別する（ステップＳ１７）。なお、図８においては理解の容易のため、第１表示パネル１２側に相当する部分には、アルファベットを表記し、第２表示パネル１３側に相当する部分には、数字を表記している。
【００２１】
ステップＳ１７の判別において、第１表示パネル１２（表面）が外周面を形成している場合には（ステップＳ１７；Ｙｅｓ）、図９に示すように、第２表示パネル１３に対する表示を停止し、第１表示パネル１２のみに表示を行う表向表示制御を行う（ステップＳ１８）。
ステップＳ１７の判別において、第２表示パネル１３（裏面）が外周面を形成している場合には（ステップＳ１７；Ｎｏ）、図１０に示すように、第１表示パネル１２に対する表示を停止し、第２表示パネル１３のみに表示を行う裏向表示制御を行う（ステップＳ１９）。
一方、ステップＳ１２の判別において他機が接続されている場合には（ステップＳ１２；Ｎｏ）、互いの表示データ（表示制御データも含む）をやりとりするデータ交換処理を行う（ステップＳ２０）。具体的には、互いの表示データの一部または全部を複製し、転送する。この結果、自己が保有していた表示データおよび転送された表示データに基づいて全く新たな表示あるいは両表示データを用いた表示を行いうる状態となる。
この状態において、コントローラ２１は、処理をステップＳ１３に移行し、自己の第１コネクタ１４および第２コネクタ１５が双方とも接続されているか否かを判別する（ステップＳ１３）。
【００２２】
すなわち、自己の第１コネクタ１４と他機の第２コネクタ１５が接続されているとともに、他機の第１コネクタ１４と自己の第２コネクタ１５が接続されているか否かを判別することとなる。
ステップＳ１３の判別において、自己の第１コネクタ１４と他機の第２コネクタ１５が接続されているとともに、他機の第１コネクタ１４と自己の第２コネクタ１５が接続されていない場合には（ステップＳ１３；Ｎｏ）、二つのがまっすぐに一方のコネクタを介して接続されている状態であるので、第１表示パネル１２および第２表示パネル１３においてそれぞれ独立した表示を行う独立表示制御を互いに行うこととなる（ステップＳ１４）。
ステップＳ１３の判別において、自己の第１コネクタ１４と他機の第２コネクタ１５が接続されているとともに、他機の第１コネクタ１４と自己の第２コネクタ１５が接続されている場合には（ステップＳ１３；Ｙｅｓ）、コントローラ２１は、メビウスリング状に二つの表示装置がひねられて接続されているか否かを判別する（ステップＳ１５）。
【００２３】
具体的には、第１コネクタ１４の向き検出用信号ＤＲが出力される第１接続端子Ｔ11は、第２コネクタ１５の第１接続端子Ｔ21あるいは第５接続端子Ｔ25のいずれか一方にのみ接続されるので、第２コネクタ１５の第１接続端子Ｔ21あるいは第５接続端子Ｔ25のいずれの端子のレベルが所定の電位レベル（“Ｈ”レベルあるいは“Ｌ”レベル）にあるかを判別し、さらに双方の表示装置で異なる状態であるか否かに基づいて判別することとなる。
ステップＳ１５の判別において、二つの表示装置１０がメビウスリング状にひねられて接続されている場合には（ステップＳ１５；Ｙｅｓ）、すなわち、第２コネクタ１５の第１接続端子Ｔ21あるいは第５接続端子Ｔ25のいずれの端子のレベルが所定の電位レベルにあるかを判別し、さらに双方の表示装置で異なる状態である場合には、双方の表示装置１０が全体として第１表示パネル１２および第２表示パネル１３において連携した表示を行う表裏連携表示制御を行う（ステップＳ１６）。
【００２４】
ステップＳ１５の判別において、メビウスリング状にひねられて接続されていない場合には（ステップＳ１５；Ｎｏ）、すなわち、第２コネクタ１５の第１接続端子Ｔ21あるいは第５接続端子Ｔ25のいずれの端子のレベルが所定の電位レベルにあるかを判別し、さらに双方の表示装置で同一の状態である場合には、単純にリング状に二つの表示装置１０が接続されていると考えられるので、各表示装置１０のコントローラ２１は、第１表示パネル１２（表面）あるいは第２表示パネル１３（裏面）のいずれが外周面を形成しているか否か、を表裏判定センサ２２の出力に基づいて判別する（ステップＳ１７）。
ステップＳ１７の判別において、第１表示パネル１２（表面）が外周面を形成している場合には（ステップＳ１７；Ｙｅｓ）、各表示装置１０のコントローラ２１は、自己の第２表示パネル１３に対する表示を停止し、第１表示パネル１２のみに表示を行う表向表示制御を行う（ステップＳ１８）。
【００２５】
ステップＳ１７の判別において、第２表示パネル１３（裏面）が外周面を形成している場合には（ステップＳ１７；Ｎｏ）、各表示装置１０のコントローラ２１は、自己の第１表示パネル１２に対する表示を停止し、第２表示パネル１３のみに表示を行う裏向表示制御を行う（ステップＳ１９）。
以上の説明のように、本実施形態によれば、表示装置の形状を変化させたり（短冊状、単純リング状、メビウスリング状など）、複数の表示装置を組み合わせることにより、様々な表示態様を実現したり、デザイン的にも好ましい携帯可能な表示装置を提供することが可能となる。
【００２６】
なお、上述した実施の形態は、あくまでも本発明の一態様を示すものであり、本発明の範囲内で任意に変形および応用が可能である。
以上の説明においては、短冊状の表示装置を例として説明したが、矩形状、多角形状、円形状、半円形状、楕円形状、多角形状、円形状あるいは楕円形状などが連続した団子状の形状など様々な態様の表示装置であっても適用が可能である。
また、各表示装置にコネクタを１組ずつ設ける構成を採っていたが、一方のコネクタあるいは双方のコネクタを複数設けるようにすることも可能である。
以上の説明においては、電気泳動ディスプレイパネルを用いた場合について説明したが、湾曲可能なディスプレイであれば、液晶ディスプレイ、ＥＬディスプレイなど様々なディスプレイを適用することが可能である。
【００２７】
また例えば、マイクロカプセル５３に電気泳動分散液６０を封入する構成に限らず、各セグメント４０を密閉構造として、それぞれのセグメント４０に電気泳動分散液６０を注入する構成としても良い。
以上の説明では、２つの表示装置を接続する場合について説明したが、３つ以上の表示装置をシリアルに接続するように構成することも可能である。この場合においては、全ての表示装置で表示制御データを共有したり、隣接する表示装置と表示制御データを共有するように構成することも可能である。
また、上述した実施の形態では、本発明に係る表示装置を腕装着型、首装着型の電子機器の表示部に適用した場合を例示したが、ベルト型等、他の電子機器の表示部にも適用可能である。
【図面の簡単な説明】
【００２８】
【図１】実施形態の表示装置の外観斜視図である。
【図２】表示装置の概要構成ブロック図である。
【図３】コントローラおよびコネクタの詳細構成説明図である。
【図４】表示パネルの断面図である。
【図５】表示パネルの部分拡大断面図である。
【図６】実施形態の処理フローチャートである。
【図７】表示装置がメビウスリング状にひねられて接続されている場合の説明図である。
【図８】表示装置が単純にリング状に接続されている場合の説明図である。
【図９】第１表示パネル（表面）が外周面を形成している場合の説明図である。
【図１０】第２表示パネル（裏面）が外周面を形成している場合の説明図である。
【図１１】二つの表示装置が単純にリング状に接続されている場合の説明図である。
【符号の説明】
【００２９】
１０…表示装置、１１…表示装置本体、１２…第１表示パネル（第１表示部）、１３…第２表示パネル（第２表示部）、１４…第１コネクタ、１５…第２コネクタ、２１…コントローラ（制御部）、２２…表裏判定センサ、２３…ディスプレイドライバ、２４…バッテリ、３１…ＭＰＵ（制御部）、３２…ＲＯＭ（制御部）、３３…ＲＡＭ（制御部）、３４…インターフェース部（制御部）。
【図１】
2007047626.tif 000003
【図２】
2007047626.tif 000004
【図３】
2007047626.tif 000005
【図４】
2007047626.tif 000006
【図５】
2007047626.tif 000007
【図６】
2007047626.tif 000008
【図７】
2007047626.tif 000009
【図８】
2007047626.tif 000010
【図９】
2007047626.tif 000011
【図１０】
2007047626.tif 000012
【図１１】
2007047626.tif 000013